【事件の表示】
　特願２００３−１７６１７８「書換え可能なメモリを使用するカメラ」拒絶査定不服審判事件〔平成１６年　４月　２日出願公開、特開２００４−１０２９８７〕について、次のとおり審決する。
【結　論】
　本件審判の請求は、成り立たない。
【理　由】
１．手続の経緯
　本願は、平成５年１２月２７日に出願した特願平５−３３０４５２号の一部を平成１５年６月２０日に新たな特許出願としたものであって、平成１８年１０月１７日付けで拒絶の理由が通知され、同年１２月２５日付けで手続補正がなされたものの、この手続補正は平成１９年１月１８日付けで却下され、同年４月２６日付けで拒絶の査定がなされた。その後、同年６月７日に拒絶査定不服審判請求がなされ、同年７月６日付けで手続補正がなされたものである。   
 　
２．本願発明
　本願の請求項１に係る発明は、平成１９年７月６日付け手続補正書によって補正された明細書又は図面の記載からみて、次のとおりのものと認める。
　
「　【請求項１】　マイクロコンピュータと、
　前記マイクロコンピュータの作動を指示する制御プログラムを格納する電気的消去書換えの可能な大容量メモリと、
　データを一時記憶する一時記憶メモリと、
　撮像のための処理を指示するための操作部材と、
　外部の装置と各種信号の授受を行う端子とを有し、
　前記マイクロコンピュータは、前記端子に書換え装置が接続された際には撮影のための処理ルーチンへ移行せず、前記マイクロコンピュータによる前記大容量メモリへの消去書換えに関する処理制御により、前記書換え装置から伝達され一旦前記一時記憶メモリに格納されたコマンドおよび／またはプログラムデータを前記大容量メモリに転送することを特徴とする書換え可能なメモリを有するカメラ。」
　なお、請求項１には「前記端子に前記書換え装置が接続された際には」および「前記コマンドおよび／またはプログラムデータ」と記載されているが、これらの記載より前に「書換え装置」および「コマンドおよび／またはプログラムデータ」なる用語は存在しないから、請求項１に記載された「前記書換え装置」および「前記コマンドおよび／またはプログラムデータ」は、「書換え装置」および「コマンドおよび／またはプログラムデータ」の誤記と認め、本願の請求項１に係る発明（以下、「本願発明」という。）を上記のように認定した。
　
３．引用文献
　原査定の拒絶の理由に引用された特開平５−２４１８１６号公報（以下、「引用文献１」という。）には、図面と共に以下の事項が記載されている。
　
Ａ．「【０００１】
【産業上の利用分野】本発明は、予め装置の動作や動作に必要なデータを記憶する不揮発性メモリを備えたデータ処理装置であって、プログラムやデータを順次読み出して実行可能なデータ処理装置に関する。
【０００２】
【従来の技術】従来、マイクロプロセッサを内蔵したプリンタ等のデータ処理装置では、印刷等の処理に必要なプログラムやデータはＰ−ＲＯＭ等の記憶手段に格納、固定されている。
（中略）
【０００５】そこで、本発明は、Ｐ−ＲＯＭ等の記憶手段を装着や交換作業を要することなく、必要なプログラムやデータの書込みや書換えができるようにしたデータ処理装置を提供することを目的とする。
【０００６】
【課題を解決するための手段】本発明のデータ処理装置は、外部から入力すべきプログラムやデータの書込みを行うための書込み処理プログラムを格納した第１の記憶手段（ＲＯＭ４）と、前記書込み処理プログラム（ＩＰＬプログラム）を実行する処理手段（ＣＰＵ２）と、この処理手段の前記書込み処理プログラムの実行に基づき外部より前記プログラムや前記データを入力する入力手段（ＲＳ−２３２Ｃインターフェイス１０、Ｉ／Ｏポート１２）と、この入力手段を通して入力された前記プログラムや前記データを記憶する書込み可能な不揮発性メモリで構成された第２の記憶手段（ＥＥ・ＰＲＯＭ６）とを備えたことを特徴とする。」
　
Ｂ．「  【０００８】
【実施例】以下、本発明を図面に示した実施例を参照して詳細に説明する。
【０００９】図１は、本発明のデータ処理装置の一実施例を示している。このデータ処理装置には、各種のプログラムを実行する処理手段として中央処理装置（ＣＰＵ）２が設置されているとともに、このＣＰＵ２の制御を司る各種のプログラムを格納した第１の記憶手段として読出し専用メモリ（ＲＯＭ）４が設置されている。この場合、ＲＯＭ４に格納されているプログラムは、本発明の根幹を成す外部からのプログラムやデータの格納処理を実行するための書込み処理プログラムとしてＩＰＬ（Initial Program  Loader)プログラムを含んでいる。
【００１０】このデータ処理装置には、ＲＯＭ４に対応し、不揮発性メモリからなる第２の記憶手段としてＥＥ・ＰＲＯＭ６が併設されている。このＥＥ・ＰＲＯＭ６は、外部からのプログラムやデータを格納する。
【００１１】また、第３の記憶手段として随時書込み可能なメモリ（ＲＡＭ）８が設置されている。このＲＡＭ８は、外部から入力されるデータを編集するためにそのデータの一時的な格納等に用いられる。
【００１２】また、プログラムやデータの入力手段としてＲＳ−２３２Ｃインターフェイス１０及びＩ／Ｏポート１２が設置されている。Ｉ／Ｏポート１２には、プログラムやデータの入力をするか否かを選択するスイッチとしてデータローディングスイッチ１４が設けられている。即ち、このデータローディングスイッチ１４が外部からの操作によってＯＮ状態にあるとき、データローディングモードとなる。」
　
Ｃ．「【００１９】次に、図４は、本発明のデータ処理装置の応用例であるプリンタ装置を示しており、図１に示した実施例と共通部分には同一符号を付してある。
【００２０】このプリンタには、ホストコンピュータからの印刷情報を受け、印刷処理に必要な演算処理を実行する処理手段としてＣＰＵ２、ＩＰＬプログラム等の各種プログラムが書き込まれた第１の記憶手段としてのＲＯＭ４、外部からのプログラムやデータを書き込むべき第２の記憶手段としてＥＥ・ＰＲＯＭ６、一時的にデータを書き込むべき第３の記憶手段としてＲＡＭ８、プログラムや印字データの入力手段としてセントロニクスインターフェイス１０及びパラレルＩ／Ｏポート１２が設置されている。
【００２１】ＣＰＵ２には、電源の解除等による電源電圧ＶCCが低下したとき、処理動作を初期状態に復帰させるパワーオンリセットを行うリセット回路１６が接続されている。ＣＰＵ２には、パワーオン時、リセット回路１６からリセット信号Ｒが加えられる。ＥＥ・ＰＲＯＭ６には、ＣＰＵ２の誤動作やノイズ等により、不必要なデータ等のＥＥ・ＰＲＯＭ６への書込みを防止するため、書込み制御回路１８とライトプロテクトスイッチ２０が設置されている。
【００２２】そして、印字機構の印字ヘッド２２を制御する印字ヘッド制御回路２４が設置されているとともに、駆動機構部を駆動するステップモータ制御回路２６が設置され、このステップモータ制御回路２６には印刷用紙を送るためのフィードモータ２８とともに、印刷ヘッド２２を搭載したキャリッジを操作するキャリッジモータ３０が接続されている。
【００２３】さらに、表示素子やスイッチ等を配置した操作パネル３２が設置され、この操作パネル３２に設置されているスイッチ（ＳＷ）からの操作入力、ＬＣＤやＬＥＤ等の表示素子に対する表示信号を出力する入出力手段として操作パネルインターフェイス３４が設置されている。また、ホストコンピュータとの連携や仕様設定のためのディップスイッチ（ＳＷ）３６が設置され、このディップスイッチ３６からの設定入力を受けるディップスイッチ（ＳＷ）インターフェイス３８が設置されている。」
　
Ｄ．「【００３０】この初期動作の後、ステップＳ２では、パラレルＩ／Ｏポート１２を介してデータローディングスイッチ１４の状態を検査する。ＲＯＭ４に記憶されている命令を実行している初期動作中、データローディングスイッチ１４の状態がデータローディング状態（ＯＮ状態）であれば、ステップＳ３に移行し、データローディングスイッチ１４のＯＮと同時に操作パネル３２の表示素子（ＬＥＤ）を点滅を開始させてステップＳ４に移行する。ステップＳ４ではＥＥ・ＰＲＯＭ６のデータを消去させ、セントロニクスインターフェイス１０のデータ読込みを行う。即ち、ＣＰＵ２はセントロニクスインターフェイス１０を介して接続されている上位機器、例えばホストコンピュータから送出されるデータをセントロニクスインターフェイス１０で読み込み、ステップＳ６でそのデータを編集してＲＡＭ８に格納する。ステップＳ７では、１ページ分のデータセットが完了したか否かを判断し、１ページ分未満の場合にはステップＳ５に戻る。そして、ステップＳ７で１ページ分のデータセットが完了した場合には、ステップＳ８に移行し、ＲＡＭ８内の編集済みデータをＥＥ・ＰＲＯＭ６に転送し、記憶させる。このとき、ステップＳ９では、操作パネル３２のブザーを０．５秒間鳴動させ、ＥＥ・ＰＲＯＭ６へのデータの転送及び記憶をブザー音で告知する。
【００３１】次に、ステップＳ１０では、データ転送が完了したか否かを判断し、データ転送が未了の場合には、ステップＳ５に戻り、データ転送が完了し、全データを記憶後、ステップＳ１１（図８）に移行し、チェックサムコードを計算し、書込み済みコードとともにＥＥ・ＰＲＯＭ６の特定のアドレスに書き込む。このとき、ステップＳ１２、Ｓ１３が実行され、その動作中ＥＥ・ＰＲＯＭ６内に書き込み中であることを操作パネル３２のＬＥＤの点滅を行うとともに、ステップＳ１４では操作パネル３２のブザーを２秒間鳴動させ、ＥＥ・ＰＲＯＭ６への書込み済みコードのＥＥ・ＰＲＯＭ６へのセットを報知する。
【００３２】次に、ステップＳ１５ではＥＥ・ＰＲＯＭ６に全てのデータを記憶し終わるとＥＥ・ＰＲＯＭ６の特定なアドレス（エントリーアドレス）にジャンプし、ステップＳ１６ではＥＥ・ＰＲＯＭ６の命令やデータを使って通常の機器、即ち、プリンタの通常動作である印字動作等を行う。この際、セントロニクスインターフェイス１０を介してホストコンピュータより送られる印字データを、周知の手順にて印字媒体上に印刷記録を行う。」
　
Ｅ．「【００３６】次に、図９は、他のＩＰＬプログラムを示している。即ち、図１のデータ処理装置、図４のプリンタでは、ＥＥ・ＰＲＯＭ６にプログラムを書き込む条件をリセット後に、ローディングスイッチ１４をＯＮ状態にすることとしているが、この実施例では、外部ホスト機器からの指令を用いてＥＥ・ＰＲＯＭ６に対するプログラムやデータの書込みを行うものである。ホスト機器は、プログラムを書き込むべきプリンタ装置に対して、プリンタ書込みモードにするためのコマンド例えば＜ＥＳＣ＞＃（１ＢＨ，２３Ｈ）を送出し、続いてＥＥ・ＰＲＯＭ６に書き込むプログラムをアドレス情報や誤り検出コードとともに送出する。ステップＳ２１ではそのデータを受信し、ステップＳ２２では受信したデータの誤り検出コードを使ってデータがＥＥ・ＰＲＯＭ６への書込みコマンドか否かを判定する。そのデータが正常であると判断した場合には、ステップＳ２３に移行し、レコード長データを受信してステップＳ２４に移行し、０以外か否かを判定する。０以外の場合にはステップＳ２５に移行してロードアドレスを受信し、ステップＳ２６でデータ受信を行い、ステップＳ２７でチェックサムを計算し、続いてステップＳ２８でチェックサムを受信し、ステップＳ２９でチェックサムの一致を判断する。ステップＳ２９でチェックサムが一致した場合にはステップＳ３０でＥＥ・ＰＲＯＭ６にデータの書込みを行った後、ステップＳ２３に戻る。
【００３７】また、ステップＳ２４で０であると判断された場合には、ステップＳ３１に移行して書込み終了表示を表示パネル３２の表示素子を以て行う。また、ステップＳ２９でチェックサムが一致しない場合には、ステップＳ３２に移行してエラー表示を行う。即ち、操作パネル３２上の表示手段によって異常データであることを報知する。
【００３８】以上の動作を繰り返し、ＥＥ・ＰＲＯＭ６に順次にデータを書き込んで行き、終了コードを受信すると、操作パネル３２上の表示手段によりプログラムの完了を報知する。」
　
　上記記載によれば、装置内部の不揮発性メモリに外部からプログラムを書き込む技術に関して、上記Ａ，Ｂには、データ処理装置を実施例とするものが図１と共に示され、上記Ｃ，Ｄには、データ処理装置の応用例であるプリンタ装置を実施例とするものが図４、７，８と共に示され、上記Ｅには、図４のプリンタでは、書き込む条件としていたローディングスイッチを書込みコマンドに換えた実施例が図９のフローチャートと共に示されている。
　これらの記載より、引用文献１には、図４のプリンタの構成において、書き込む条件としていたローディングスイッチを書込みコマンドに換えた実施例として次の発明（以下、「引用発明」という。）が記載されている。
　
　ＣＰＵと、
　前記ＣＰＵによって実行される命令やデータを格納するＥＥ・ＰＲＯＭと、
　一時的にデータを書き込むべきＲＡＭと、
　プリンタに対して操作するスイッチを配置した操作パネルと、
　プログラムや印字データの入力手段であるセントロニクスインターフェースと、
　前記ＣＰＵは、前記セントロニクスインターフェースを介して接続されている上位機器からプリンタを書込みモードにするコマンドとＥＥ・ＰＲＯＭに書き込むべきプログラムからなるデータを受信し、受信データに書込みコマンドを検出したときには、前記プログラムを前記ＲＡＭに格納し、編集後のプログラムを前記ＥＥ・ＰＲＯＭに書き込んだ後で機器本来の動作ルーチンを実行することを特徴とするＥＥ・ＰＲＯＭを有するプリンタ
　
　また、原査定の拒絶の理由に引用された特開平４−１２５５３１号公報（以下、「引用文献２」という。）には、図面と共に以下の事項が記載されている。
　
Ｆ．「［実　施　例］
　以下、本発明をカメラに実施した例、すなわち電池室を覆っている蓋体が、ヒンジによりカメラ本体に対して枢着されている実施例について説明する。
　第１図において、カメラ本体１の底部には電池蓋２を有し、この蓋２は本体１に対してヒンジ結合されている。また同図において、３は電池を収納する電池室で、４は電池蓋２を閉じた時に覆い隠される領域を示している。この領域４の中にカメラ１が搭載している不図示のＥＥＰＲＯＭのデータ書き込みもしくは読み取りを行なうための通信用パッド５を設け、電池蓋２を開いた時に外部に現われるように配置してある。６は通信用工具で、カメラボディ１の電池室３の天井に設けられた不図示の電池接片＋、−に接触する電源投入部７と、複数の通信パッド５に接触する複数の通信用ピン８が設けられている。通信用工具６は、カメラ本体１の電池室３に入る大きさと形状をしたホディ部６’を有している。したがって、通信用工具６を電池室３に挿入すると、電源が投入部７，７によりオンすると共に、位置決めされて、通信用ピン８，８・・・か通信用パット５の所定位置に接触することになる。」（公報３頁左上欄１８行〜左下欄２行）
　
４．対比
　本願発明と引用発明とを対比すると、
　引用発明の「ＥＥ・ＰＲＯＭ］「ＲＡＭ」「スイッチを配置した操作パネル」「ＥＥ・ＰＲＯＭに書き込むべきプログラム」は、それぞれ、本願発明の「電気的消去書換えの可能な大容量メモリ」「一時記憶メモリ」「操作部材」「コマンドおよび／またはプログラムデータ」に相当し、引用発明の「ＣＰＵ」は、本願発明の「マイクロコンピュータ」と同等のものであり、また、引用発明の「ＣＰＵによって実行される命令やデータ」は、本願発明の「マイクロコンピュータの作動を指示する制御プログラム」に相当する。
　引用発明の「プリンタに対して操作するスイッチを配置した操作パネル」と本願発明の「撮像のための処理を指示するための操作部材」とは、機器本来の処理を指示するための操作部材である点で共通している。
　引用発明の「プログラムや印字データの入力手段であるセントロニクスインターフェース」と、本願発明の「外部の装置と各種信号の授受を行う端子」とは、外部とのデータのやり取りを行う手段である点で共通している。
　引用発明では、プリンタのＥＥ・ＰＲＯＭに書き込むべきプログラムは、セントロニクスインターフェースを介してプリンタに接続された上位装置から送られてくるから、プログラム書込み時の上位装置は、本願発明の「書換え装置」の役割を果たしている。また、本願発明において「端子に書換え装置が接続された際」をマイクロコンピュータが検知できるのは、書換え装置から受信する受信データに入っている送信元の識別データに基づくのであるから、引用発明における「受信データに書込みコマンドを検出したとき」というのは、本願発明における「端子に書換え装置が接続された際」と同等のことである。
　引用発明では、受信したプログラムを一端ＲＡＭに格納し、編集後にＥＥ・ＰＲＯＭに書き込んでおり、これらの処理はＣＰＵが実行するものであるから、本願発明の「前記マイクロコンピュータによる前記大容量メモリへの消去書換えに関する処理制御により、前記書換え装置から伝達され一旦前記一時記憶メモリに格納されたコマンドおよび／またはプログラムデータを前記大容量メモリに転送する」については、引用発明においても同等のことが行われている。
　本願発明では「書き換え可能なメモリを有するカメラ」を対象としており、引用発明の「ＥＥ・ＰＲＯＭを有するプリンタ」とは、対象装置が書き換え可能メモリを有する機器である点で共通している。
　
  よって、本願発明と引用発明とは、
　
　マイクロコンピュータと、
　前記マイクロコンピュータの作動を指示する制御プログラムを格納する電気的消去書換えの可能な大容量メモリと、
　データを一時記憶する一時記憶メモリと、
　機器本来の処理を指示するための操作部材と、
　外部とのデータのやり取りを行う手段とを有し、
　前記マイクロコンピュータは、書換え装置が接続された際には、前記マイクロコンピュータによる前記大容量メモリへの消去書換えに関する処理制御により、前記書換え装置から伝達され一旦前記一時記憶メモリに格納されたコマンドおよび／またはプログラムデータを前記大容量メモリに転送することを特徴とする書換え可能なメモリを有する機器
　
である点で一致し、次の点で相違する。
　
相違点１
　書換え可能メモリを有する機器が、本願発明では「カメラ」であり、「操作部材」が撮像のための処理を指示するものであり、撮影のための処理ルーチンを有するものであるのに対し、引用発明は、「プリンタ」であり、「操作部材」はプリンタに対する処理を指示するものであり、機器本来の動作ルーチンを有するものである点
　
相違点２
　外部とのデータのやり取りを行う手段が、本願発明では「端子」であるのに対し、引用発明では、「セントロニクスインターフェース」である点
　
　相違点３
　本願発明では、「端子に書換え装置が接続された際には撮影のための処理ルーチンへ移行せず」に、大容量メモリへの書き込みを行うものであるのに対し、引用発明では書込み処理の後に機器本来の動作ルーチンを実行するものである点
                 
５．検討
相違点１について
　引用文献１は、機器内部の不揮発性メモリに外部からプログラムを書き込む技術に関するものであり、機器の一例としてプリンタに適用してもの（引用発明）が記載されている。　不揮発性メモリに格納されたプログラムによってマイクロコンピュータ制御される機器として、プリンタと同様に、マイクロコンピュータ制御のカメラは本願出願当時、周知のものである（必要ならば、特開平５−１４２６３９号公報、特開平５−１１０９７６号公報参照）。従って、機器内部の不揮発性メモリに外部からプログラムを書き込む技術を適用する対象を引用発明におけるプリンタに代えて周知のマイクロコンピュータ制御のカメラとすることは容易に為し得ることである。そして、カメラ本来の操作は撮影であり、また、撮影のための処理ルーチンを有することも自明のことであるから、引用発明におけるプリンタに対する指示や機器本来の処理ルーチンが、カメラの場合に撮像のための処理の指示や撮影ルーチンとなることに格別の意義はない。
　従って、相違点１を格別のものと言うことはできない。
　
相違点２について
　引用発明のセントロニクスインターフェースは、コンピュータと周辺機器とを接続するための規格であるが、周辺装置を接続するためには物理的には信号線とコネクタ部分が必要であるから、引用発明のセントロニクスインターフェースも物理的な端子を有していると解するのが至当である。また、引用文献２に示されるようにカメラ内部のＥＥＰＲＯＭの書き換えを通信用パッドを介して行うものが示されているから、外部とのデータのやり取りを端子を介して行うことは通常のことにすぎない。
　従って、いずれにしても相違点２を格別のことと言うことはできない。
　
相違点３について
　引用発明では、機器本来の動作ルーチンを実行する処理プログラムをＥＥ・ＰＲＯＭに格納し、その後に機器本来の動作ルーチンに移行するものであるから、ＥＥ・ＰＲＯＭへプログラム書込みを行っているときに、たとえ操作部材を操作したとしても機器本来の動作ルーチンを実行することはあり得ない。また、コンピュータ分野の技術常識からしても、通常の処理ルーチンを実現する処理プログラムを書き込んでいるときに、その処理ルーチンに関する操作（イベント）が発生しても受け付けないことは当然のことである。
　従って、相違点３を格別のことと言うことはできない。
　
６．むすび
　したがって、本願発明は、引用文献１、２に記載された発明に基づいて、当業者が容易に発明をすることができたものであるから、特許法第２９条第２項の規定により特許を受けることができない。
　よって、結論のとおり審決する。